(57)【要約】【課題】様々な形状をとることができ、審美性の高い遺骨収納庫およびその製造方法を提供する。【解決手段】墓１００には、５つの遺骨収納庫１１０が設置されている。個々の遺骨収納庫１１０は、それぞれ台１１１と、５個の遺骨収納箱１０と、遺骨収納箱２０と、平板１１２と、平板１１３と、屋根１１４とを有する。台１１１の上には、遺骨収納庫１１０の主部が設置される。主部には、遺骨収納箱が前面を同一方向に向けて縦横に配置される。遺骨収納箱１０は、底面と天井面と右側面と左側面と背面とが火成岩からなる石でできており、直方体状であって遺骨を収納することができる。遺骨収納箱２０は、底面に穴が開いている点のみが遺骨収納箱１０と異なり、その他の点は遺骨収納箱１０と同一である。平板１１２と平板１１３は、火成岩からなる石でできている。平板は、主部の側面および／または背面に、複数の遺骨収納箱にわたって、接着剤を用いて固着される。【選択図】図２
2018066113.tif 000002
【特許請求の範囲】
【請求項１】
底面と天井面と右側面と左側面と背面とが火成岩からなる石でできており、直方体状であって遺骨を収納することができる遺骨収納箱が、前面を同一方向に向けて縦横に配置された主部と、
火成岩からなる石でできており、前記主部の側面および／または背面に、複数の遺骨収納箱にわたって固着された所定の厚さの平板と、
を備えることを特徴とする遺骨収納庫。
【請求項２】
前記主部において、複数の前記遺骨収納箱で構成される遺骨収納箱群が、横方向に隣接する遺骨収納箱群と前後にずらして設置されており、
前記平板が、後寄りに配置された前記遺骨収納箱群の背面に固着されており、当該平板と前寄りに配置された前記遺骨収納箱群の背面との間に地面に接する空間が形成され、
前記空間と前記前寄りに配置された遺骨収納箱群とを覆う屋根を備える、
ことを特徴とする請求項１に記載の遺骨収納庫。
【請求項３】
前記主部の端に、前記主部と直角をなすように、前面を前記主部側に向けて前記遺骨収納箱が縦横に配置された側部を備えることを特徴とする請求項１または２に記載の遺骨収納庫。
【請求項４】
前記側部において、前記主部から離れるに連れて、縦方向の前記遺骨収納箱の数が減少することを特徴とする請求項３に記載の遺骨収納庫。
【請求項５】
底面と天井面と右側面と左側面と背面とが火成岩からなる石でできており、直方体状であって遺骨を収納することができる遺骨収納箱を、前面が同一方向に向くように縦横に配置して主部を形成する主部形成工程と、
前記主部形成工程で形成された主部の側面および／または背面に、複数の遺骨収納箱にわたって、接着剤を用いて火成岩からなる石でできた所定の厚さの平板を固着する平板固着工程と、
を備えることを特徴とする遺骨収納庫の製造方法。
【請求項６】
前記主部形成工程において、複数の前記遺骨収納箱で構成される遺骨収納箱群を、横方向に隣接する遺骨収納箱群と前後にずらして設置し、
前記平板固着工程において、後寄りに配置された前記遺骨収納箱群の背面に前記平板を固着して、当該平板と前寄りに配置された前記遺骨収納箱群の背面との間に地面に接する空間を形成し、
前記空間と前記前寄りに配置された遺骨収納箱群とを覆う屋根を設置する屋根設置工程を備える、
ことを特徴とする請求項５に記載の遺骨収納庫の製造方法。
【請求項７】
前記主部の端に、前記主部と直角をなすように、前面を前記主部側に向けて前記遺骨収納箱を縦横に配置し、側部を形成する側部形成行程を備えることを特徴とする請求項５または６に記載の遺骨収納庫の製造方法。
【請求項８】
前記側部形成行程において、前記主部から離れるに連れて、縦方向の前記遺骨収納箱の数を減少させることを特徴とする請求項７に記載の遺骨収納庫の製造方法。
【発明の詳細な説明】
【技術分野】
【０００１】
本発明は、納骨堂や墓で使用される遺骨収納庫およびその製造方法に関する。
【背景技術】
【０００２】
特許文献１には、矩形ブロックの納骨室本体をブロック壁状に縦横に据付配置して土留壁とした土留壁兼納骨室ブロックが記載されている。個々の納骨室本体には、例えば、下方に向かって一部分を突出させた嵌合凸部が底面に形成されており、この嵌合凸部に対向して一部分を窪ませた嵌合凹溝が上面に形成されている。そして、納骨室本体を積み上げて組付けるに際し、底面に突出した嵌合凸部を、先に下段に積み上げてある納骨室本体の上面の嵌合凹溝内に嵌合させるようにして各々納骨室本体全体を相互に積載連結する。
【先行技術文献】
【特許文献】
【０００３】
【特許文献１】実開平７−３４１６６号公報
【発明の概要】
【発明が解決しようとする課題】
【０００４】
特許文献１では、土留壁兼納骨室ブロックの形状は、納骨室本体がブロック壁状に縦横に配置されたもののみに限定されている。この土留壁兼納骨室ブロックは審美性の高い他の形状をとることができない。
また、納骨室本体は、鉄筋コンクリート製によって一体に形成したり、石製の壁板によって組立形成したりしたものであり、審美性について考慮されていない。しかも、土留壁兼納骨室ブロックの側面と背面には個々の納骨室本体の側面と背面が露出している。
このため、特許文献１に記載の土留壁兼納骨室ブロックは、審美性が低い。
【０００５】
本発明の目的は、様々な形状をとることができ、審美性の高い遺骨収納庫およびその製造方法を提供することである。
【課題を解決するための手段】
【０００６】
上記目的を達成するために、本発明の遺骨収納庫は、
底面と天井面と右側面と左側面と背面とが火成岩からなる石でできており、直方体状であって遺骨を収納することができる遺骨収納箱が、前面を同一方向に向けて縦横に配置された主部と、
火成岩からなる石でできており、前記主部の側面および／または背面に、複数の遺骨収納箱にわたって固着された所定の厚さの平板と、
を備えることを特徴とする。
【０００７】
好ましくは、本発明の遺骨収納庫は、
前記主部において、複数の前記遺骨収納箱で構成される遺骨収納箱群が、横方向に隣接する遺骨収納箱群と前後にずらして設置されており、
前記平板が、後寄りに配置された前記遺骨収納箱群の背面に固着されており、当該平板と前寄りに配置された前記遺骨収納箱群の背面との間に地面に接する空間が形成され、
前記空間と前記前寄りに配置された遺骨収納箱群とを覆う屋根を備える、
ことを特徴とする。
【０００８】
好ましくは、本発明の遺骨収納庫は、
前記主部の端に、前記主部と直角をなすように、前面を前記主部側に向けて前記遺骨収納箱が縦横に配置された側部を備えることを特徴とする。
【０００９】
好ましくは、本発明の遺骨収納庫は、
前記側部において、前記主部から離れるに連れて、縦方向の前記遺骨収納箱の数が減少することを特徴とする。
【００１０】
また、本発明の遺骨収納庫の製造方法は、
底面と天井面と右側面と左側面と背面とが火成岩からなる石でできており、直方体状であって遺骨を収納することができる遺骨収納箱を、前面が同一方向に向くように縦横に配置して主部を形成する主部形成工程と、
前記主部形成工程で形成された主部の側面および／または背面に、複数の遺骨収納箱にわたって、接着剤を用いて火成岩からなる石でできた所定の厚さの平板を固着する平板固着工程と、
を備えることを特徴とする。
【００１１】
好ましくは、本発明の遺骨収納庫の製造方法は、
前記主部形成工程において、複数の前記遺骨収納箱で構成される遺骨収納箱群を、横方向に隣接する遺骨収納箱群と前後にずらして設置し、
前記平板固着工程において、後寄りに配置された前記遺骨収納箱群の背面に前記平板を固着して、当該平板と前寄りに配置された前記遺骨収納箱群の背面との間に地面に接する空間を形成し、
前記空間と前記前寄りに配置された遺骨収納箱群とを覆う屋根を設置する屋根設置工程を備える、
ことを特徴とする。
【００１２】
好ましくは、本発明の遺骨収納庫の製造方法は、
前記主部の端に、前記主部と直角をなすように、前面を前記主部側に向けて前記遺骨収納箱を縦横に配置し、側部を形成する側部形成行程を備えることを特徴とする。
【００１３】
好ましくは、本発明の遺骨収納庫の製造方法は、
前記側部形成行程において、前記主部から離れるに連れて、縦方向の前記遺骨収納箱の数を減少させることを特徴とする。
【発明の効果】
【００１４】
本発明によれば、様々な形状をとることができ、審美性の高い遺骨収納庫およびその製造方法を提供することができる。
【図面の簡単な説明】
【００１５】
【図１】本発明の実施形態に係る遺骨収納庫を形成するために使用される遺骨収納箱の一例を示す図である。
【図２】本発明の実施形態に係る遺骨収納庫を用いた墓の一例を示す斜視図である。
【図３】図２の遺骨収納庫を製造する工程の一例を示す図である。
【図４】本発明の実施形態に係る遺骨収納庫を用いた墓の一例を示す斜視図である。
【図５】図４のＡ−Ａ線断面図である。
【図６】図４の遺骨収納庫を製造する工程の一例を示す図である。
【図７】本発明の実施形態に係る遺骨収納庫を用いた墓の一例を示す斜視図である。
【図８】図８のＢ−Ｂ線断面図である。
【図９】図７の遺骨収納庫を製造する工程の一例を示す図である。
【発明を実施するための形態】
【００１６】
以下、本発明の実施形態に係る遺骨収納庫およびその製造方法について図面を参照しながら詳細に説明する。なお、実施形態を説明する全図において、共通の構成要素には同一の符号を付し、繰り返しの説明を省略する。
【００１７】
図１は、本発明の実施形態に係る遺骨収納庫を形成するために使用される遺骨収納箱１０の一例を示す。
遺骨収納箱１０の外面の形状は直方体である。遺骨収納箱１０には、遺骨の入った納骨壺等が収納される。遺骨収納箱１０は、本体部１１と、天井板１２と、扉１３とで構成される。本体部１１と天井板１２は花崗岩（御影石）でできている。扉１３は、本体部１１の前面に取り付けられる。扉１３は、御影石でできていてもよいし、金属等の他の材料でできていてもよい。
【００１８】
本体部１１は、底面と右側面と左側面と背面とを有しており、天井と前面は空いている。本体部１１は、例えば、御影石を刳り抜いて形成される。本体部１１の底面内側には前面側の右端に取付孔１４が開いている。天井板１２の内側にも、底面の取付孔１４に対向する位置に取付孔（図示無し）が開いている。本体部１１と天井板１２とは、例えば、御影石の接着に適した接着剤を用いて固着される。そのような接着剤として、例えばボンド商事から販売されているＢＤ免震石材エースがある。
なお、底面板と、天井板と、右側面板と、左側面板と、背面板とを御影石の接着に適した接着剤やＬ字金具等を用いて固着することにより、遺骨収納箱１０を形成することもできる。
【００１９】
扉１３は、上面と下面の右端に、それぞれ差込金具１５と差込金具１６が取り付けられている。差込金具１５と差込金具１６は、例えば金属製である。差込金具１５と差込金具１６は、それぞれ天井板１２の取付孔と底面の取付孔１４に挿入される。これにより、扉１３は、本体部１１に開閉可能に取り付けられる。
また、扉１３は、外側表面に把手１７を有する。
以上説明したように、遺骨収納箱１０は、底面と天井面と右側面と左側面と背面とが御影石で形成されており、扉１３も御影石で形成することができる。
【００２０】
図２は、本発明の実施形態に係る遺骨収納庫１１０を用いた墓１００の一例を示す。
墓１００には、５つの遺骨収納庫１１０が設置されている。３つの遺骨収納庫１１０は、横に並んで墓１００の正面向きに設置されている。１つの遺骨収納庫１１０はそれらの左側にそれらと直角に設置されている。残りの１つの遺骨収納庫１１０はそれらの右側にそれらと直角に設置されている。
５つの遺骨収納庫１１０の周囲には、必要に応じて、花立、線香入れ、香炉、供物台等の前置きが置かれる。
【００２１】
個々の遺骨収納庫１１０は、それぞれ台１１１と、５個の遺骨収納箱１０と、１個の遺骨収納箱２０と、平板１１２と、平板１１３と、屋根１１４とを有する。
遺骨収納箱１０と遺骨収納箱２０は、同一の形状かつ同一の大きさの直方体である。遺骨収納箱２０は、底面に穴が開いている点のみが遺骨収納箱１０と異なり、その他の点は遺骨収納箱１０と同一である。
【００２２】
台１１１は底面が無く、例えば、地面の上に設置される。
台１１１の上には、遺骨収納庫１１０の主部が設置される。主部には、遺骨収納箱１０と遺骨収納箱２０が前面を同一方向に向けて縦横に配置される。図２の例では、主部は、左側に遺骨収納箱１０が３個積み重ねられており、その横方向に隣接して、右側に最下段に遺骨収納箱２０が設置され、その上に遺骨収納箱１０が２個積み重ねられている。遺骨収納箱１０と遺骨収納箱２０の前面は全て同一方向（主部の正面方向）を向いている。
台１１１の天井には、遺骨収納箱２０の底面の穴に接する部分に穴が開いている。遺骨収納箱２０には遺骨がそのまま入れられる。遺骨収納箱２０に入れられた遺骨は、遺骨収納箱２０の底面の穴と台１１１の天井の穴とを通って地面の上に置かれる。地面の上の遺骨は、時間が経つと、土に還る。
【００２３】
屋根１１４は、少なくとも背面が御影石でできている。屋根１１４は表面に模様を施された装飾性の高いものである。
平板１１２と平板１１３は、御影石でできている。平板１１２と平板１１３は、所定の厚さを有する平らな板である。平板は、主部の側面および／または背面に、複数の遺骨収納箱にわたって、御影石の接着に適した接着剤を用いて固着される。例えば、図２の例では、平板１１３が最下段の遺骨収納箱１０と遺骨収納箱２０および中段の２個の遺骨収納箱１０の背面に固着され、平板１１２が中段の２個の遺骨収納箱１０、最上段の２個の遺骨収納箱１０および屋根１１４の背面に固着されている。
【００２４】
遺骨収納箱１０、遺骨収納箱２０および屋根１１４の背面が平板１１２と平板１１３に接着剤で固着されているため、遺骨収納庫１１０は耐震性が高い。
また、遺骨収納庫１１０の背面は御影石でできた平板１１２と平板１１３で覆われており、遺骨収納庫１１０の側面には遺骨収納箱１０と遺骨収納箱２０の側面が個々に露出しているもののこれらも御影石でできている。このため、遺骨収納庫１１０は審美性が高い。
なお、耐震性を更に向上させるために、横方向で接触する遺骨収納箱１０同士または遺骨収納箱１０と遺骨収納箱２０の右側面と左側面、および縦方向で接触する遺骨収納箱１０同士または遺骨収納箱１０と遺骨収納箱２０の底面と上面を、それぞれ接着剤を用いて固着させてもよい。
【００２５】
図３は、図２の遺骨収納庫１１０を製造する工程の一例を示す。
遺骨収納庫１１０を製造するとき、最初に台１１１を地面に設置する（Ｓ１１）。次に、台１１１の上に、前面が同一方向に向くように遺骨収納箱を縦横に配置して主部を形成する（Ｓ１２）。具体的には、台１１１の上面左側に遺骨収納箱１０を３個、その横方向に隣接して、台１１１の上面右側の最下段に遺骨収納箱２０、その上に遺骨収納箱１０を２個設置する。その際、遺骨収納箱１０と遺骨収納箱２０の前面は全て同一方向（主部の正面方向）を向ける。
次に、主部の上に、屋根１１４を設置する（Ｓ１３）。そして、主部の背面に複数の遺骨収納箱にわたって、接着剤を用いて平板１１２と平板１１３を固着する（Ｓ１４）。具体的には、最下段の遺骨収納箱１０と遺骨収納箱２０および中段の２個の遺骨収納箱１０の背面にわたって接着剤を用いて平板１１３を固着し、中段の２個の遺骨収納箱１０、最上段の２個の遺骨収納箱１０および屋根１１４の背面にわたって接着剤を用いて平板１１２を固着する。
なお、遺骨収納箱１０および／または遺骨収納箱２０に遺骨が収納された後、遺骨収納箱の扉は接着剤を用いて遺骨収納箱の前面に固定される。この接着剤は、平板１１２と平板１１３等の固着に用いられる接着剤とは異なり、固化してゴム状となってもカッター等を用いて削り取ることができるものである。このため、後日、接着剤を削り取って扉を開けることが可能である。
【００２６】
図４は、本発明の実施形態に係る遺骨収納庫２１０を用いた墓２００の一例を示す。図５は、図４のＡ−Ａ線断面図である。
墓２００には、１つの遺骨収納庫２１０が設置されている。遺骨収納庫２１０の周囲には、必要に応じて、花立、線香入れ、香炉、供物台等の前置きが置かれる。
【００２７】
遺骨収納庫２１０の主部では、複数の遺骨収納箱で構成される遺骨収納箱群が、横方向に隣接する遺骨収納箱群と前後にずらして設置される。図４と図５の例では、左側と右側の遺骨収納箱群が前寄りに配置され、真ん中の遺骨収納箱群が後寄りに配置されている。
左側の遺骨収納箱群では、最下段に２個の遺骨収納箱３０が並んでいる。遺骨収納箱３０は、底面が遺骨収納箱１０よりも厚い。この点を除き、遺骨収納箱３０は遺骨収納箱１０と同一の構造である。この遺骨収納箱群では、２個の遺骨収納箱３０の上にそれぞれ３個の遺骨収納箱１０が積み重ねられている。右側の遺骨収納箱群の構成は左側の遺骨収納箱群と同一である。
真ん中の遺骨収納箱群では、収納台２３０の上に横方向２個×縦方向２個、計４個の遺骨収納箱１０が設置されている。
【００２８】
平板２１１と平板２１２と平板２１６は御影石でできている。平板２１１と平板２１２と平板２１６は、所定の厚さを有する平らな板である。平板２１６は、後寄りに配置された真ん中の遺骨収納箱群の背面に御影石に適した接着剤を用いて固着される。また、平板２１１は左側の遺骨収納箱群の左側面に御影石に適した接着剤を用いて固着され、平板２１２は右側の遺骨収納箱群の右側面に御影石に適した接着剤を用いて固着される。平板２１６と前寄りに配置された左側の遺骨収納箱群の背面との間には、空間２１７が形成される。空間２１７は、平板２１１と平板２１６と前寄りに配置された左側の遺骨収納箱群の背面と後寄りに配置された真ん中の遺骨収納箱群の左側面とに囲まれている。空間２１７は地面に接している。同様に、平板２１６と前寄りに配置された右側の遺骨収納箱群の背面との間には、空間２１８が形成される。空間２１８も地面に接している。
なお、図５に示すように、平板２１１と平板２１６とが接触する部分、および平板２１２と平板２１６とが接触する部分をそれぞれＬ字金具２１９およびＬ字金具２２０を用いて補強してもよい。
【００２９】
屋根２１３と屋根２１４と屋根２１５は、例えば御影石でできている。屋根２１３は、前寄りに配置された左側の遺骨収納箱群の上に置かれ、空間２１７と左側の遺骨収納箱群の上面とを覆う。同様に、屋根２１５は、前寄りに配置された右側の遺骨収納箱群の上に置かれ、空間２１８と右側の遺骨収納箱群の上面とを覆う。
屋根２１３と屋根２１５は取り外すことができる。それらを取り外すと空間２１７と空間２１８に遺骨を入れることができ、その遺骨は地面の上に置かれる。地面の上の遺骨は、時間が経つと、土に還る。
なお、屋根２１３と屋根２１５の底面においてそれぞれ空間２１７と空間２１８に対応する部分に空間２１７と空間２１８の横断面の形状と一致する形状を有する凸部を形成し、その凸部を空間２１７と空間２１８の上方から嵌め込むようにしてもよい。これにより、屋根２１３と屋根２１５の耐震性を強化することができる。
また、屋根２１４は、後寄りに配置された真ん中の遺骨収納箱群の上面に設置される。屋根２１４は、真ん中の遺骨収納箱群の上面に接着剤を用いて固着してもよい。
【００３０】
図６は、図４の遺骨収納庫２１０を製造する工程の一例を示す。
遺骨収納庫２１０を製造するとき、最初に、左側と右側の遺骨収納箱群を前寄りに設置し、真ん中の遺骨収納箱群を後寄りに設置して、主部を形成する（Ｓ２１）。次に、後寄りに配置された真ん中の遺骨収納箱群の背面に、御影石に適した接着剤を用いて平板２１６を固着する（Ｓ２２）。そして、左側の遺骨収納箱群の左側面に影石に適した接着剤を用いて平板２１１を固着し（Ｓ２３）、右側の遺骨収納箱群の右側面に影石に適した接着剤を用いて平板２１２を固着する（Ｓ２４）。平板２１６と前寄りに配置された左側の遺骨収納箱群との間には空間２１７が形成され、平板２１６と前寄りに配置された右側の遺骨収納箱群との間には空間２１８が形成される。
次に、前寄りに配置された左側の遺骨収納箱群の上に屋根２１３を置く（Ｓ２５）。屋根２１３は、空間２１７と左側の遺骨収納箱群の上面とを覆う。そして、後寄りに配置された真ん中の遺骨収納箱群の上面に屋根２１４を設置する（Ｓ２６）。最後に、前寄りに配置された右側の遺骨収納箱群の上に屋根２１５を置く（Ｓ２７）。屋根２１５は、空間２１８と右側の遺骨収納箱群の上面とを覆う。
なお、遺骨収納箱１０および／または遺骨収納箱３０に遺骨が収納された後、遺骨収納箱の扉は接着剤を用いて遺骨収納箱の前面に固定される。
【００３１】
図７は、本発明の実施形態に係る遺骨収納庫を用いた墓３００の一例を示す。図８は、図７のＢ−Ｂ線断面図である。
墓３００には、遺骨収納庫３１０と遺骨収納庫３５０がそれぞれ左側と右側に設置されている。遺骨収納庫３１０と遺骨収納庫３５０の周囲には、必要に応じて、花立、線香入れ、香炉、供物台等の前置きが置かれる。
【００３２】
左側の遺骨収納庫３１０は、主部と側部で構成される。主部には、横方向２個×縦方向４個、計８個の遺骨収納箱１０がそれらの前面を墓３００の正面に向けて配置されている。側部は、主部の左端に主部と直角をなすように配置される。側部には、遺骨収納箱１０がそれらの前面を主部側に向けて縦横に配置される。ただし、側部において、主部から離れるに連れて、縦方向の遺骨収納箱１０の数は減少する。図７の例では、側部において、主部に最も近い側では遺骨収納箱１０が４個積み重ねられており、主部から離れるに連れて縦方向の遺骨収納箱１０の数は３個、２個、１個と減少している。
【００３３】
平板３１１と平板３１２は御影石でできている。平板３１１と平板３１２は、所定の厚さを有する平らな板である。平板３１１は、遺骨収納庫３１０の主部の背面に複数の遺骨収納箱１０にわたって御影石に適した接着剤を用いて固着される。平板３１２は、遺骨収納庫３１０の側部の背面に複数の遺骨収納箱１０にわたって御影石に適した接着剤を用いて固着される。
図８に示すように、主部と側部が接続される角には、平板３１１と平板３１２と主部の左側面と側部の右側面とに囲まれた空間３１４が形成される。空間３１４は地面に接している。
なお、図８に示すように、平板３１１と平板３１２とが接触する部分をＬ字金具３１５を用いて補強してもよい。
【００３４】
空間３１４の上には、屋根３１３が置かれる。屋根３１３とは、例えば御影石でできている。屋根３１３は取り外すことができる。それらを取り外すと空間３１４に遺骨を入れることができ、その遺骨は地面の上に置かれる。地面の上の遺骨は、時間が経つと、土に還る。なお、耐震性を強化するために、空間３１４の横断面の形状と一致する形状を有する凸部を屋根３１３の底面に形成し、その凸部を空間３１４の上方から嵌め込むようにしてもよい。
右側の遺骨収納庫３５０は、側部が主部の右端に配置される点を除き、左側の遺骨収納庫３１０と同様の構造である。
【００３５】
図９は、図７の遺骨収納庫３１０を製造する工程の一例を示す図である。
遺骨収納庫３１０を製造するとき、最初に、前面を墓の正面側に向けて遺骨収納箱１０を縦横に配置し、主部を形成する（Ｓ３１）。次に、主部の左端に、主部と直角をなすように、前面を主部側に向けて遺骨収納箱１０を縦横に配置し、側部を形成する（Ｓ３２）。
そして、主部の背面に御影石に適した接着剤を用いて平板３１１を固着し（Ｓ３３）、側部の背面に御影石に適した接着剤を用いて平板３１２を固着する（Ｓ３４）。最後に、主部と側部が接続される角に形成される空間３１４の上に、屋根３１３を置く（Ｓ３５）。
なお、遺骨収納箱１０に遺骨が収納された後、遺骨収納箱１０の扉は接着剤を用いて遺骨収納箱１０の前面に固定される。
【００３６】
上述したように、遺骨収納庫３１０は主部の左端に側部を備え、遺骨収納庫３５０は主部の右端に側部を備えるが、遺骨収納箱１０等を用いて主部の左端と右端の両方に側部を備える遺骨収納庫を製造することもできる。
【００３７】
上述した実施形態では、本発明に係る遺骨収納庫を墓に使用する例を示したが、遺骨収納箱の扉に鍵を設置することにより、本発明に係る遺骨収納庫を納骨堂に使用することもできる。
また、上述した実施形態では、本発明に係る遺骨収納箱と平板の材料として深成岩の一種である花崗岩（御影石）を使用する例を示したが、これに限らず遺骨収納箱と平板の材料として硬質で風化作用に長期間耐え、審美性の高い同一の種類の石を使用し、その石に適した接着剤を用いて遺骨収納箱と平板を固着することができる。例えば、遺骨収納箱と平板の材料として、火山岩の一種である安山岩、深成岩の一種である閃緑岩や斑レイ岩等からなる石を使用することもできる。ここで、火成岩が火山岩と深成岩の２つに分類されることは周知である。
【００３８】
上述したように、本発明によれば、様々な形状をとることができ、審美性の高い遺骨収納庫およびその製造方法を提供することができる。
【００３９】
以上、本発明の実施形態について説明したが、製造上の都合やその他の要因によって必要となる様々な修正や組み合わせは、請求項に記載されている発明や発明の実施形態に記載されている具体例に対応する発明の範囲に含まれる。
【符号の説明】
【００４０】
１０，２０，３０…遺骨収納箱、１１…遺骨収納箱の本体部、１２…遺骨収納箱の天井板、１３…遺骨収納箱の扉、１００…墓、１１０…遺骨収納庫、１１１…台、１１２，１１３…平板、１１４…屋根、２００…墓、２１０…遺骨収納庫、２１１，２１２，２１６…平板、２１３，２１４，２１５…屋根、２１７，２１８…空間、２１９，２２０…Ｌ字金具、２３０…収納台、３００…墓、３１０，３５０…遺骨収納庫、３１１，３１２…平板、３１３…屋根、３１４…空間、３１５…Ｌ字金具
【図１】
2018066113.tif 000003
【図２】
2018066113.tif 000004
【図３】
2018066113.tif 000005
【図４】
2018066113.tif 000006
【図５】
2018066113.tif 000007
【図６】
2018066113.tif 000008
【図７】
2018066113.tif 000009
【図８】
2018066113.tif 000010
【図９】
2018066113.tif 000011
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
底面と天井面と右側面と左側面と背面とが火成岩からなる石でできており、直方体状であって遺骨を収納することができる遺骨収納箱が、前面を同一方向に向けて縦横に配置された主部と、  火成岩からなる石でできており、前記主部の側面および／または背面に、複数の遺骨収納箱にわたって固着された所定の厚さの平板と、  を備え、  前記主部において、複数の前記遺骨収納箱で構成される遺骨収納箱群が、横方向に隣接する遺骨収納箱群と前後にずらして設置されており、  前記平板が、後寄りに配置された前記遺骨収納箱群の背面に固着されており、当該平板と前寄りに配置された前記遺骨収納箱群の背面との間に地面に接する空間が形成され、  前記空間と前記前寄りに配置された遺骨収納箱群とを覆う屋根を備える、  ことを特徴とする遺骨収納庫。
【請求項２】
前記主部の端に、前記主部と直角をなすように、前面を前記主部側に向けて前記遺骨収納箱が縦横に配置された側部を備えることを特徴とする請求項１に記載の遺骨収納庫。
【請求項３】
前記側部において、前記主部から離れるに連れて、縦方向の前記遺骨収納箱の数が減少することを特徴とする請求項２に記載の遺骨収納庫。
【請求項４】
底面と天井面と右側面と左側面と背面とが火成岩からなる石でできており、直方体状であって遺骨を収納することができる遺骨収納箱を、前面が同一方向に向くように縦横に配置して主部を形成する主部形成工程と、  前記主部形成工程で形成された主部の側面および／または背面に、複数の遺骨収納箱にわたって、接着剤を用いて火成岩からなる石でできた所定の厚さの平板を固着する平板固着工程と、  を備えることを特徴とする遺骨収納庫の製造方法。
【請求項５】
前記主部形成工程において、複数の前記遺骨収納箱で構成される遺骨収納箱群を、横方向に隣接する遺骨収納箱群と前後にずらして設置し、  前記平板固着工程において、後寄りに配置された前記遺骨収納箱群の背面に前記平板を固着して、当該平板と前寄りに配置された前記遺骨収納箱群の背面との間に地面に接する空間を形成し、  前記空間と前記前寄りに配置された遺骨収納箱群とを覆う屋根を設置する屋根設置工程を備える、  ことを特徴とする請求項４に記載の遺骨収納庫の製造方法。
【請求項６】
前記主部の端に、前記主部と直角をなすように、前面を前記主部側に向けて前記遺骨収納箱を縦横に配置し、側部を形成する側部形成行程を備えることを特徴とする請求項４または５に記載の遺骨収納庫の製造方法。
【請求項７】
前記側部形成行程において、前記主部から離れるに連れて、縦方向の前記遺骨収納箱の数を減少させることを特徴とする請求項６に記載の遺骨収納庫の製造方法。 
【手続補正２】
【補正対象書類名】明細書
【補正対象項目名】０００６
【補正方法】変更
【補正の内容】
【０００６】  上記目的を達成するために、本発明の遺骨収納庫は、  底面と天井面と右側面と左側面と背面とが火成岩からなる石でできており、直方体状であって遺骨を収納することができる遺骨収納箱が、前面を同一方向に向けて縦横に配置された主部と、  火成岩からなる石でできており、前記主部の側面および／または背面に、複数の遺骨収納箱にわたって固着された所定の厚さの平板と、  を備え、  前記主部において、複数の前記遺骨収納箱で構成される遺骨収納箱群が、横方向に隣接する遺骨収納箱群と前後にずらして設置されており、  前記平板が、後寄りに配置された前記遺骨収納箱群の背面に固着されており、当該平板と前寄りに配置された前記遺骨収納箱群の背面との間に地面に接する空間が形成され、  前記空間と前記前寄りに配置された遺骨収納箱群とを覆う屋根を備える、  ことを特徴とする。
【手続補正３】
【補正対象書類名】明細書
【補正対象項目名】０００７
【補正方法】削除
【補正の内容】